(57)【要約】【課題】本発明は、竹工芸用の竹ひごを未熟練者でも簡単に精度よく所定の厚さに加工できる装置を提供するものである。【解決手段】本発明の竹ひご加工装置は、滑り面１を上下に動かすことにより滑り面１と切削刃２との間隙を調整する機構及び、切削刃２の取り付け角度を変えることにより滑り面１と切削刃２との間隙を調整する機構を有する事を特徴とする。【選択図】      図１
2004167957.tif 000002
【特許請求の範囲】
【請求項１】
竹ひごなどを所定の厚さに加工する装置「せん」において、滑り面（１）を上下に動かすことにより滑り面（１）と切削刃（２）との間隙を調整する機構及び、切削刃（２）の取り付け角度を変えることにより滑り面（１）と切削刃（２）との間隙を調整する機構を有する事を特徴とする竹ひご加工装置。
【発明の詳細な説明】
【０００１】
【発明が属する技術分野】
本発明は、竹篭や竹の格子などの製作に使用する薄い竹ひごに加工するための装置「せん」に関するものである。
【０００２】
【従来の技術】
竹工芸などで竹ひごを所定の厚さに加工するために、従来から手動の工具「せん」が用いられている  （参考文献；▲１▼佐藤圧五郎「図説  竹工芸」（第１２刷）Ｐ６２（１９９９）、▲２▼柳宗里他２名「木竹工芸事典」（第４刷）Ｐ１７２（１９９３））  。
【０００３】
竹工芸で使用される薄くて均一な厚さの竹ひごを作るには、まず鉈などで竹を割り、次に必要な厚さに剥いだ後、更に「せん」を用いて厚さを薄く均一にかつ剥ぎ面を滑らかにする。図５に従来の工具「せん」の一例を示すが、その構造はネジで固定された切削刃１７  と  滑り面１６からなり、刃先の間隙は紙面奥行き方向に順次狭くなっている。使い方は、切削刃１７  と滑り面１６の間隙に竹ひご１５を入れて手で引っ張るものである。間隙の大きい方から順次小さい方へと数回繰り返して所望の厚みに仕上げる。
【０００４】
竹ひごの加工に関する先願は、特開昭６０−４０２０４（工芸用竹材の極薄削機）及び、特開昭５９−８７１０５（竹ひご製造装置）などがあるが、これらは大量に加工する為の装置であり、個人の竹工芸家が設備するには高価であり過ぎた。
【０００５】
【発明が解決しようとする課題】
従来の工具「せん」を用いて所定の厚さの竹ひごを得ようとする時には、切削刃１７  及び滑り面１６の間隙を竹ひごを加工する厚みに設定する事が必要であるが、０．３ｍｍ程度の薄い竹ひごを加工する場合、切削刃１７  及び滑り面１６の間隙を微妙に調整することは容易ではなく、熟練が必要であった。実際に竹ひごを加工して仕上がりの厚みをチェックし、それに応じて切削刃１７の固定を解き、切削刃１７  及び滑り面１６の間隙を調整した上で切削刃１７を固定して、再度竹ひごを加工し、チェックし、必要があればさらに間隙を調整しなおさねばならなかった。
【０００６】
図６に二種類（柾割りと平剥ぎ）の竹の剥ぎ方を示す。柾割りの竹ひごは工具「せん」にかける場合に、節が側面にきて上下方向には出てこないので、切削する部分全長にわたってほぼ均一となり、固定した切削刃１７  と滑り面１６の間隙を通す事が出来る。一方平剥ぎの竹ひごは、外皮側が竹工芸では強度が極めて強くまた突出した節が美的にも貴重なため大切なものであるが、節のある外皮側の剥いだ竹ひごを工具「せん」にかける場合、切削面の裏側に節が来るため固定の切削刃１７  及び滑り面１６を通す事は不可能であった。そのため節の有る外皮側の平剥ぎの竹ひごを加工するには、節を中心として両方向から工具「せん」を使って所定の厚さに削った後、工具「せん」から取り外してナイフで節の部分を削り落とすという作業が行われているが、これは一節を有する竹ひごを加工する場合のみ可能な作業であった。多くの節を有する竹ひごを加工する場合は工具「せん」を使えず、熟練者がナイフで全長を削っていた。
【０００７】
従来の工具「せん」は切削刃１７  及び滑り面１６は刃先の間隙が紙面奥行き方向に順次狭くなっていて平行部分がないため、出来上がった薄い竹ひごの断面も楔状になり、幅が６ｍｍ程度までの竹ひごでは工具「せん」を使うことが出来るがそれ以上幅の広い薄い竹ひごを作る場合には、断面を均一な厚さに出来ないため工具「せん」を使用できなかった。そのためこのように幅の広い竹ひごを加工する場合にも熟練した技術者がナイフで削る必要があった。
【０００８】
以上のような不便な点に多くの人が改良する努力をしてきているにもかかわらず、その解決にまで至っていないのが現状である。これを安価な装置で解決すべく開発されたのが本発明である。
【０００９】
【課題を解決するための手段】
本発明の竹ひご加工装置は、滑り面１を上下に動かすことにより滑り面１と切削刃２との間隙を調整する機構及び、切削刃２の取り付け角度を変えることにより滑り面１と切削刃２との間隙を調整する機構を有する事を特徴とする。
【００１０】
【発明の実施の形態】
次に本発明の実施の一例の形態について実施データ―と共に図面を参照しつつ以下に記述する。図１に本発明の正面図を示す。滑り面１は滑り面支持台９に取り付けられ、滑り面支持台支点１１を軸としてネジ付ノブ４により上下に調整する事ができ、滑り面１と切削刃２との間隙を設定できる。
【００１１】
図２に図１におけるＡ−Ａ断面を示す。切削刃２、ハンドレバー５およびヒンジレバー１４はヒンジ支点１２を軸としたヒンジ１３に取り付けられており、切削刃２を所定の切削角度に保つため、ヒンジレバー１４をスプリング６の張力によりストッパー７に当てている。またハンドレバー５を上に持ち上げる事により、切削刃２の取り付け角度をヒンジ支点１２を軸にして変えることができるので、滑り面１と切削刃２との間隙を広くする事が出来る。
【００１２】
次に竹ひごの節を通過させる方法を説明する。図３は、図１正面図のＢ−Ｂ断面を示し、竹ひご１０の節の部分が滑り面１と切削刃２の間隙を通過する直前状態を表す。このままの状態では節が滑り面１に来た時に、節が滑り面１の端に当り、通過させる事ができない。更に竹の筋（維菅束）が節においてくぼみを形成しているので、所定の角度に取り付けた切削刃２を同じ角度を保ったままでくぼみを通過させようとすると切削刃２がくぼみに落ち込み、竹ひごは切断されてしまう。図４は図３と同じ構造を示すが、ハンドレバー５を上に持ち上げることにより切削刃２の取り付け角が変わり、滑り面１と切削刃２の間隙が広くなって図３における節の付いた竹ひごを滑り面１の端に当てることなく通過させる事が出来る状態を示すものである。更に切削刃２の切削角が小さくなっているので、切削刃２を節のくぼみに落ち込ませること無く、節を通過させることができるのである。
【００１３】
竹ひご厚さの設定を速やかにするために滑り面１と切削刃２との間隙を数値で表示する手段が有効であるが、その方法として滑り面取り付け台９にダイアルゲージを取り付けたり、レバーを介して間隙を拡大表示する機構を取り付ける場合など簡単に行える。更に節の突出した高さをセンサーで捉え、節を通過させる高さならびにくぼみに落ち込ませない切削角度にするため、センサーによる節の高さと切削刃１の取り付け角度を変える動作とを連動させて節を通過させることができるので、自動化へと進めることができる。
【００１４】
本発明の装置を用いて実際に真竹の竹ひごを用いて３年程度の経験を有する技術者が加工した結果、次のことが判明した。所望の厚さの竹ひごを加工するために滑り面１と切削刃２との間隙を設定するが、そのために要する時間は、従来の工具「せん」では３〜１０分を要した。一方本発明の装置では３秒程度であった。
【００１５】
切削に要する時間は、長さが８０ｃｍの一節を有する竹ひごを厚さ０．６ｍｍから０．４ｍｍに削る場合に、従来の工具「せん」では約４０秒を要したが、本発明の装置では約１８秒で仕上げる事が出来た。長さ約２３０ｃｍの六節を有する竹ひごを厚さ０．９ｍｍから０．７ｍｍに削るには、従来の工具「せん」を使って加工することは実用上不可能であったが、比較のため全長をナイフで削ってみると約２分３０秒かかり厚さは３０％程度のばらつきが出来た。一方本発明の装置を使用すると約１分１８秒でほぼ均一な厚さに仕上げる事ができ、見栄えも良いものであった。また、滑り面１の形状を切削刃２に対してテーパー部分と平行をもった部分（仕上げ部分）から構成する形状にする事によって、従来の工具「せん」では出来なかった幅１０ｍｍで厚さ０．４ｍｍの均一な竹ひごも容易に製作できた。
【００１６】
【発明の効果】
伝統技術を引き継ぐ後継者が次第に少なくなっていく現在において、熟練と時間を必要とする薄い竹ひご作りが、本発明の装置を使用することにより熟練していない技術者でも短時間で精度良く加工する事ができるようになった効果は非常に大きいものがある。また実際竹籠を編んでいる人に本発明の装置を使ってもらった結果、短時間で正確に容易に長い竹ひごでも加工できるという非常に高い評価が得られた。
【図面の簡単な説明】
【図１】本発明の正面図
【図２】図１のＡ−Ａ断面図
【図３】図１のＢ−Ｂ断面図
【図４】図１のＢ−Ｂ断面図における節通過状態図
【図５】従来の工具「せん」
【図６】柾割りと平剥ぎの説明図
【符号の説明】
１  滑り面
２  切削刃
３  固定台
４  ネジ付ノブ
５  ハンドレバー
６  スプリング
７  ストッパー
８  スプリング
９  滑り面取り付け台
１０  竹ひご
１１  滑り面取り付け台支点
１２  ヒンジ支点
１３  ヒンジ
１４  ヒンジレバー
１５  竹ひご
１６  滑り面
１７  切削刃
【図１】
2004167957.tif 000003
【図２】
2004167957.tif 000004
【図３】
2004167957.tif 000005
【図４】
2004167957.tif 000006
【図５】
2004167957.tif 000007
【図６】
2004167957.tif 000008